Podtech/llm-jp-corpus-v4-ja_patent huggingface dataset:
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
可変表示に対応する特定表示を表示可能な遊技機であって、
特定表示の表示態様として、複数の表示態様が存在し、
演出態様が異なる複数の演出モードに制御可能な演出制御手段と、
特定表示に対応した付加表示を表示可能な付加表示手段と、を備え、
特定表示の形状と付加表示の形状とが異なるとともに特定表示の表示領域と付加表示の表示領域とが異なり、
特定表示の表示態様として、通常態様と、該通常態様よりも遊技者にとって有利な有利状態に制御される割合が高い特別態様とがあり、
演出モードとして、第１演出モードと、該第１演出モードと通常態様の特定表示の表示態様が異なる第２演出モードとがあり、
第１演出モードに制御されているときの通常態様の特定表示と、該通常態様の特定表示に対応した付加表示とは、第１表示色であり、
第２演出モードに制御されているときの通常態様の特定表示と、該通常態様の特定表示に対応した付加表示とは、前記第１表示色と異なる第２表示色であり、
第１演出モードに制御されているときの特別態様の特定表示に対応した付加表示の色と、第２演出モードに制御されているときの特別態様の特定表示に対応した付加表示の色とは、前記第１表示色及び前記第２表示色の何れとも異なる特別表示色であり、
前記特別表示色として、第１特別表示色と、該第１特別表示色よりも前記有利状態に制御される割合が高い第２特別表示色とがあり、
第１演出モードに制御されているときに、
特別態様の特定表示と、該特別態様の特定表示に対応した付加表示とを、前記第１特別表示色とすることが可能であり、
特別態様の特定表示と、該特別態様の特定表示に対応した付加表示とを、前記第２特別表示色とすることが可能であり、
第２演出モードに制御されているときに、
特別態様の特定表示と、該特別態様の特定表示に対応した付加表示とを、前記第１特別表示色とすることが可能であり、
特別態様の特定表示と、該特別態様の特定表示に対応した付加表示とを、前記第２特別表示色とすることが可能であり、
前記付加表示手段は、開始条件が成立した可変表示に対応する特定表示が非表示となることに伴い、当該特定表示に対応した付加表示を非表示とする、
ことを特徴とする遊技機。
【手続補正２】
【補正対象書類名】明細書
【補正対象項目名】００１０
【補正方法】変更
【補正の内容】
【００１０】
手段Ａの遊技機は、
可変表示に対応する特定表示を表示可能な遊技機であって、
特定表示の表示態様として、複数の表示態様が存在し、
演出態様が異なる複数の演出モードに制御可能な演出制御手段と、
特定表示に対応した付加表示を表示可能な付加表示手段と、を備え、
特定表示の形状と付加表示の形状とが異なるとともに特定表示の表示領域と付加表示の表示領域とが異なり、
特定表示の表示態様として、通常態様と、該通常態様よりも遊技者にとって有利な有利状態に制御される割合が高い特別態様とがあり、
演出モードとして、第１演出モードと、該第１演出モードと通常態様の特定表示の表示態様が異なる第２演出モードとがあり、
第１演出モードに制御されているときの通常態様の特定表示と、該通常態様の特定表示に対応した付加表示とは、第１表示色であり、
第２演出モードに制御されているときの通常態様の特定表示と、該通常態様の特定表示に対応した付加表示とは、前記第１表示色と異なる第２表示色であり、
第１演出モードに制御されているときの特別態様の特定表示に対応した付加表示の色と、第２演出モードに制御されているときの特別態様の特定表示に対応した付加表示の色とは、前記第１表示色及び前記第２表示色の何れとも異なる特別表示色であり、
前記特別表示色として、第１特別表示色と、該第１特別表示色よりも前記有利状態に制御される割合が高い第２特別表示色とがあり、
第１演出モードに制御されているときに、
特別態様の特定表示と、該特別態様の特定表示に対応した付加表示とを、前記第１特別表示色とすることが可能であり、
特別態様の特定表示と、該特別態様の特定表示に対応した付加表示とを、前記第２特別表示色とすることが可能であり、
第２演出モードに制御されているときに、
特別態様の特定表示と、該特別態様の特定表示に対応した付加表示とを、前記第１特別表示色とすることが可能であり、
特別態様の特定表示と、該特別態様の特定表示に対応した付加表示とを、前記第２特別表示色とすることが可能であり、
前記付加表示手段は、開始条件が成立した可変表示に対応する特定表示が非表示となることに伴い、当該特定表示に対応した付加表示を非表示とする、
ことを特徴とする遊技機である。
手段１の遊技機は、
可変表示（パチンコ遊技機１の場合は、特別図柄の変動表示、演出図柄の変動表示、スロットマシンの場合は、識別可能な複数種類の図柄が所定の順序で外周に配列された左リール、中リール、及び右リールの回転）に対応する特定表示（アクティブ表示、保留表示）を表示可能な遊技機であって、
前記特定表示の表示態様として、複数の表示態様（通常態様「モード対応色」、特殊態様「モード対応色点滅」、第１特別態様「青色」、第２特別態様「赤色」）が存在し、
演出態様（背景画像等）が異なる複数の演出モード（雨モード、雪モード、台風モード）に制御可能な演出制御手段（演出制御マイクロコンピュータ１００）と、
前記特定表示に対応した付加表示（例えば、図８４、図８５、及び図８６に示す、アクティブ表示１５ＴＭ１０２の近傍に表示されている付加表示１５ＴＭ１０３、アクティブ表示１５ＴＭ１１２の近傍に表示されている付加表示１５ＴＭ１１３、及び、アクティブ表示１５ＴＭ１２２の近傍に表示されている付加表示１５ＴＭ１２３）を表示可能な付加表示手段（演出制御用マイクロコンピュータ１００）と、を備え、
前記演出制御手段により制御される演出モード（雨モード、雪モード、台風モード）と、前記特定表示の表示態様とに応じて、前記付加表示の表示態様を異ならせることが可能である（例えば、雨モードの場合はアクティブ表示１５ＴＭ１０２と同じく付加表示１５ＴＭ１０３を水色で表示し、雪モードの場合はアクティブ表示１５ＴＭ１１２と同じく付加表示１５ＴＭ１１３を銀色で表示し、台風モードの場合はアクティブ表示１５ＴＭ１２２と同じく付加表示１５ＴＭ１２３を灰色で表示することが可能である）、
ことを特徴とする遊技機である。
このような構成によれば、演出モードと特定表示の表示態様とに応じて、付加表示の表示態様を異ならせることが可能であるため、複数の演出モードが存在することによる興趣を向上させることができる。
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
所定の外形形状を呈する役物と、
前記役物の後方に設けられ、遊技者に対して所定の発光装飾効果を発揮する後方発光手段と、
を備え、
前記役物は、所定の装飾用発光体を実装した不透明な発光体実装基板と当該発光体実装基板の前方を覆うように設けられるカバー体を含み、
前記カバー体は、前記後方発光手段の発光色を識別可能とする第１領域と、前記装飾用発光体の発光色を識別可能とする第２領域とを含む
ことを特徴とする遊技機。
【手続補正２】
【補正対象書類名】明細書
【補正対象項目名】０００６
【補正方法】変更
【補正の内容】
【０００６】
本発明は、
所定の外形形状を呈する役物と、
前記役物の後方に設けられ、遊技者に対して所定の発光装飾効果を発揮する後方発光手段と、
を備え、
前記役物は、所定の装飾用発光体を実装した不透明な発光体実装基板と当該発光体実装基板の前方を覆うように設けられるカバー体を含み、
前記カバー体は、前記後方発光手段の発光色を識別可能とする第１領域と、前記装飾用発光体の発光色を識別可能とする第２領域とを含む
ことを特徴とする。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
眼科用画像処理プログラムであって、コンピュータのプロセッサで実行されることにより、
第１撮影装置による被検眼の隅角に対する撮影結果として、複数枚の前記隅角の反射画像を合成した合成画像を取得し、更に、第２撮影装置による前記被検眼の前眼部に対する撮影結果として、前記隅角の断面情報を取得する、取得ステップと、
前記合成画像と前記断面情報との位置関係を対応付ける対応づけステップと、
を前記コンピュータに実行させる眼科用画像処理プログラム。
【請求項２】
前記取得ステップは、前記合成画像として、互いに異なる複数の波長域を含む可視光を照明光とするカラー画像を取得する請求項１記載の眼科用画像処理プログラム。
【請求項３】
前記第２撮影装置は、前眼部のＯＣＴデータを取得するＯＣＴ装置であって、
前記取得ステップでは、前記前眼部における３次元ＯＣＴデータを前記断面情報として取得し、
前記対応づけステップでは、前記３次元ＯＣＴデータと前記合成画像との位置関係を対応づける請求項１又は２記載の眼科用画像処理プログラム。
【請求項４】
前記第１撮影装置は、前記隅角における角度分割線に沿った光軸を介して照明光を投受光すると共に、前記隅角全周の複数の位置に対して前記光軸の位置を変えつつ投受光される照明光に基づいて複数枚の前記隅角の反射画像を撮影し、複数枚の前記隅角の反射画像の合成画像として前記前記隅角の全周の反射画像である全周画像が取得される、請求項１から３の何れかに記載の眼科用画像処理プログラム。
【請求項５】
前記取得ステップでは、一枚の画像の中で互いに異なる複数種類の特徴部に対してピントが一致したマルチフォーカス画像を、前記合成画像として取得する請求項１から４の何れかに記載の眼科用画像処理プログラム。
【請求項６】
前記第１撮影装置は前記合成画像の撮影時における前眼部の正面画像である第１正面画像を更に撮影し、
前記第２撮影装置は前記断面情報の生成・取得時における前眼部の正面画像である第２正面画像を更に撮影し、
前記対応づけステップでは、前記第１正面画像と前記第２正面画像とを介して、前記合成画像と前記断面情報とを対応づける請求項１から５のいずれかに記載の眼科用画像処理プログラム。
【請求項７】
前記合成画像と、前記断面情報に基づく断面画像と、の位置関係が対応づけられた態様でモニタに同時に表示させる表示制御ステップを、更に前記コンピュータに実行させる請求項１から６のいずれかに記載の眼科用画像処理プログラム。
【手続補正２】
【補正対象書類名】明細書
【補正対象項目名】０００７
【補正方法】変更
【補正の内容】
【０００７】
本開示の第一態様に係る眼科用画像処理プログラムは、コンピュータのプロセッサで実行されることにより、第１撮影装置による被検眼の隅角に対する撮影結果として、複数枚の前記隅角の反射画像を合成した合成画像を取得し、更に、第２撮影装置による前記被検眼の前眼部に対する撮影結果として、前記隅角の断面情報を取得する、取得ステップと、前記合成画像と前記断面情報との位置関係を対応付ける対応づけステップと、を前記コンピュータに実行させる。
【手続補正３】
【補正対象書類名】明細書
【補正対象項目名】０００８
【補正方法】削除
【補正の内容】
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
所定の画像を表示可能な演出表示装置と、
前記演出表示装置より前方に設けられ、所定の外形形状を呈する役物と、
を備える遊技機であって、
前記役物は、前面を特定色で着色したプリント基板と当該プリント基板の前方を覆うように設けられるカバー体を含み、
前記カバー体は、前記プリント基板の色を装飾要素とすべく前記特定色を識別可能とする透過領域と、前記特定色の識別を困難とする識別困難領域とを有する
ことを特徴とする遊技機。
【手続補正２】
【補正対象書類名】明細書
【補正対象項目名】０００５
【補正方法】変更
【補正の内容】
【０００５】
本発明は、各種のランプ等が搭載されるようなプリント基板そのものを装飾要素の一つとして利用する新たな構成の遊技機を提供することを目的とする。
【手続補正３】
【補正対象書類名】明細書
【補正対象項目名】０００６
【補正方法】変更
【補正の内容】
【０００６】
本発明は、
所定の画像を表示可能な演出表示装置と、
前記演出表示装置より前方に設けられ、所定の外形形状を呈する役物と、
を備える遊技機であって、
前記役物は、前面を特定色で着色したプリント基板と当該プリント基板の前方を覆うように設けられるカバー体を含み、
前記カバー体は、前記プリント基板の色を装飾要素とすべく前記特定色を識別可能とする透過領域と、前記特定色の識別を困難とする識別困難領域とを有する
ことを特徴とする。
【手続補正４】
【補正対象書類名】明細書
【補正対象項目名】０００７
【補正方法】変更
【補正の内容】
【０００７】
本発明によれば、プリント基板そのものを装飾要素の一つとして利用する新たな構成の遊技機を提供できる。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
遊技を実行可能な遊技機であって、
特定態様に変化する所定表示を表示可能な所定表示手段と、
所定表示の表示制御に関する表示制御タイミングを決定可能なタイミング決定手段と、
所定表示が前記特定態様に変化したときに複数種類の特定演出のうちいずれかを実行可能な特定演出実行手段と、を備え、
前記タイミング決定手段は、一の所定表示が前記特定態様に変化する変化タイミングとして第１タイミングを決定した後に、該一の所定表示の表示を開始する開始タイミングとして第１タイミングよりも前の第２タイミングを決定し、該一の所定表示とは異なる他の所定表示が前記特定態様に変化する変化タイミングとして第２タイミングよりも前の第３タイミングを決定した後に、該他の所定表示の表示を開始する開始タイミングとして第３タイミングよりも前の第４タイミングを決定可能であり、
前記特定演出実行手段は、
所定表示が表示されなくても前記特定演出を実行可能であり、
所定表示が表示された場合と所定表示が表示されなかった場合とで前記特定演出を実行するタイミングを異ならせる、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技を実行可能な遊技機であって、特定態様に変化する所定表示を表示可能な所定表示手段と、所定表示の表示制御に関する表示制御タイミングを決定可能なタイミング決定手段と、所定表示が前記特定態様に変化したときに複数種類の特定演出のうちいずれかを実行可能な特定演出実行手段と、を備え、前記タイミング決定手段は、一の所定表示が前記特定態様に変化する変化タイミングとして第１タイミングを決定した後に、該一の所定表示の表示を開始する開始タイミングとして第１タイミングよりも前の第２タイミングを決定し、該一の所定表示とは異なる他の所定表示が前記特定態様に変化する変化タイミングとして第２タイミングよりも前の第３タイミングを決定した後に、該他の所定表示の表示を開始する開始タイミングとして第３タイミングよりも前の第４タイミングを決定可能であり、前記特定演出実行手段は、所定表示が表示されなくても前記特定演出を実行可能であり、所定表示が表示された場合と所定表示が表示されなかった場合とで前記特定演出を実行するタイミングを異ならせる、ことを特徴とする。
（手段１）他の遊技機は、遊技を実行可能な遊技機であって、特定態様（例えば、「０：００：００」）に変化する所定表示（例えば、タイマ表示）を表示可能な所定表示手段（例えば、タイマ表示装置７３ＩＷ００１）と、所定表示の表示制御に関する表示制御タイミング（例えば、タイマ表示の開始タイミング、タイマ表示の終了タイミング）を決定可能なタイミング決定手段（例えば、演出制御用ＣＰＵ１２０における、ステップ７３ＩＷＳ０３３，７３ＩＷＳ０３９を実行する部分）と、所定表示が特定態様に変化したときに複数種類の特定演出（例えば、カットイン予告、群予告、役物予告）のうちいずれかを実行可能な特定演出実行手段（例えば、演出制御用ＣＰＵ１２０における、ステップ７３ＩＷＳ０４３にて設定した予告演出を、ステップＳ１７２にて実行する部分）とを備え、タイミング決定手段は、一の所定表示の表示制御に関する表示制御タイミングを決定し、該一の所定表示の表示制御に関する表示制御タイミングよりも前のタイミングを、該一の所定表示とは異なる他の所定表示の表示制御に関する表示制御タイミングとして決定可能である（例えば、演出制御用ＣＰＵ１２０は、第２タイマ表示制御処理（ステップ７３ＩＷＳ０１６）を行うことにより、１個目の予告演出に対応するタイマ表示の表示制御タイミング（開始タイミング、終了タイミング）を決定し、該表示制御タイミングより前のタイミングを、２個目の予告演出に対応するタイマ表示の表示制御タイミング（開始タイミング、終了タイミング）として決定する）ことを特徴とする。そのような構成によれば、演出効果を高めることができる。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
複数のプライの端面が互いにずらされて積層されることで形成される段差部を有する複合材の構造体であって、
前記複数のプライのうちの第１プライが最上層に積層される第１構造部、前記複数のプライのうち前記第１プライとは異なる第２プライであって、前記第１プライとは前記複数のプライが積層される方向である積層方向に離れて位置している第２プライが最上層に積層される第２構造部、及び前記第１構造部と前記第２構造部との間に設けられた前記段差部、を含む本体部と、
前記段差部のすべてを覆う被覆部、前記被覆部の一端部より前記積層方向と直交する方向に沿って延在する一端部、及び前記被覆部の他端部より前記積層方向と直交する方向に沿って延在する他端部、を含む第１カバープライであって、前記第１プライの表面の一部、又は前記第２プライの表面の一部だけを覆うように形成されている第１カバープライと、を備える複合材の構造体。
【請求項２】
前記複合材の構造体は、
前記積層方向において、前記第１プライと前記第１カバープライとの間に配置される第２カバープライをさらに備え、
前記第２カバープライは、前記段差部を覆う被覆部、前記被覆部の一端部より前記積層方向と直交する方向に沿って延在する一端部、及び前記被覆部の他端部より前記積層方向と直交する方向に沿って延在する他端部であって、前記積層方向における前記第１プライと前記第２プライとの間に配置される前記複数のプライのうちの、２つのプライの間に差し込まれる他端部、を含む
請求項１に記載の複合材の構造体。
【請求項３】
前記第１カバープライは、配向方向を有する強化繊維を含んで構成されており、
前記第１カバープライの前記配向方向は、前記積層方向における上方視において、前記第１構造部と前記第２構造部との距離が最短となる位置を通る基準線に直交する方向に対して交差する
請求項１又は２に記載の複合材の構造体。
【請求項４】
前記積層方向における上方視において、前記基準線に対する前記第１カバープライの前記配向方向の角度をθ１とするとき、θ１が４５±１５°又は−４５±１５°の範囲内である
請求項３に記載の複合材の構造体。
【請求項５】
前記積層方向における上方視において、前記基準線に対する前記第１カバープライの前記配向方向の角度をθ１とするとき、θ１が０±１５°の範囲内である
請求項３に記載の複合材の構造体。
【請求項６】
前記複合材の構造体は、
前記積層方向において、前記第１カバープライに対して前記第１プライとは反対側に配置される第３カバープライをさらに備える
請求項３乃至５の何れか１項に記載の複合材の構造体。
【請求項７】
前記第３カバープライは、配向方向を有する強化繊維を含んで構成されており、
前記積層方向における上方視において、前記基準線に対する前記第１カバープライの前記配向方向の角度をθ１、前記基準線に対する前記第３カバープライの前記配向方向の角度をθ３とするとき、θ３＝−θ１の関係を満たす
請求項６に記載の複合材の構造体。
【請求項８】
前記第１カバープライの前記被覆部は、
前記積層方向に沿った断面視において、前記第１カバープライの前記一端部に連続するとともに前記一端部に対して傾斜を有する第１被覆部と、
前記積層方向に沿った断面視において、前記第１カバープライの前記他端部に連続するとともに前記他端部に対して傾斜を有する第２被覆部と、を含み、
前記第１被覆部の前記一端部に対する前記傾斜は、前記第２被覆部の前記他端部に対する前記傾斜より緩やかに形成されている
請求項１乃至７の何れか１項に記載の複合材の構造体。
【請求項９】
前記段差部は、水平距離をＨ、垂直距離をＶとすると、前記水平距離と前記垂直距離の比であるＨ／Ｖが、１≦Ｈ／Ｖ＜３０の範囲内である
請求項１乃至８の何れか１項に記載の複合材の構造体。
【請求項１０】
複数のプライの端面が互いにずらされて積層されることで形成される段差部を有する複合材の構造体であって、
前記複数のプライのうちの第１プライが最上層に積層される第１構造部、前記複数のプライのうち前記第１プライとは異なる第２プライであって、前記第１プライとは前記複数のプライが積層される方向である積層方向に離れて位置している第２プライが最上層に積層される第２構造部、及び前記第１構造部と前記第２構造部との間に設けられた前記段差部、を含む本体部と、
前記段差部を覆う被覆部、前記被覆部の一端部より前記積層方向と直交する方向に沿って延在する一端部、及び前記被覆部の他端部より前記積層方向と直交する方向に沿って延在する他端部、を含む第１カバープライであって、前記第１プライの表面の一部、又は前記第２プライの表面の一部だけを覆うように形成されている第１カバープライと、を備え、
前記第１カバープライが、前記積層方向における上方視において、前記段差部の一部のみを覆うように形成されている
複合材の構造体。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
基端から先端に向かって順に設けられたＭ（自然数）個の関節を有するロボットアームと、制御装置とを備え、
前記制御装置が、前記ロボットアームの少なくとも２つの前記関節を連動させ、Ｍより少ないＮ（Ｎは６以下の自然数）の自由度で前記ロボットアームを制御する、マニピュレータシステム。
【請求項２】
前記ロボットアームが、前記基端から前記先端に向かって順に、第１関節、第２関節及び第３関節を備え、
前記第１関節及び前記第３関節が捩り関節であり、前記第２関節が曲げ関節である、請求項１に記載のマニピュレータシステム。
【請求項３】
前記制御装置が、前記第２関節と前記第３関節とを連動させる、請求項２に記載のマニピュレータシステム。
【請求項４】
前記制御装置が、第１関係式に従って２つの前記関節を連動させる、請求項１に記載のマニピュレータシステム。
【請求項５】
前記制御装置が、前記第１関係式に従って２つの前記関節を連動させる一のモードと、前記第１関係式と異なる第２関係式に従って２つの前記関節を連動させる他のモードとに切替えて、２つの前記関節を連動させる、請求項４に記載のマニピュレータシステム。
【請求項６】
前記制御装置が、２つの前記関節の一方を動作させずに停止させて連動させる、請求項１から５のいずれかに記載のマニピュレータシステム。
【請求項７】
前記ロボットアームをスレーブアームとして操作するための操作信号を生成し前記制御装置に出力するマスタアーム入力装置を更に備える、請求項１から６のいずれかに記載のマニピュレータシステム。
【請求項８】
前記ロボットアームの前記先端に術具が設けられている、請求項１から７のいずれかに記載のマニピュレータシステム。
【請求項９】
前記術具が、鉗子である、請求項８に記載のマニピュレータシステム。
【請求項１０】
前記ロボットアームの前記先端にカメラが設けられている、請求項１から９のいずれかに記載のマニピュレータシステム。
【手続補正２】
【補正対象書類名】明細書
【補正対象項目名】発明の名称
【補正方法】変更
【補正の内容】
【発明の名称】マニピュレータシステム
【手続補正３】
【補正対象書類名】明細書
【補正対象項目名】０００１
【補正方法】変更
【補正の内容】
【０００１】
本発明は、Ｎ（Ｎは６以下の自然数）の自由度でロボットアームを制御するマニピュレータシステムに関する。
【手続補正４】
【補正対象書類名】明細書
【補正対象項目名】０００５
【補正方法】変更
【補正の内容】
【０００５】
本発明は上記のような課題を解決するためになされたもので、高い応答性を有し、かつ、移動空間に存在する様々な障害物を回避可能なロボットアームを備えたマニピュレータシステムを提供することを目的とする。
【手続補正５】
【補正対象書類名】明細書
【補正対象項目名】０００６
【補正方法】変更
【補正の内容】
【０００６】
上記目的を達成するために、本発明のある形態に係るマニピュレータシステムは、基端から先端に向かって順に設けられたＭ（自然数）個の関節を有するロボットアームと、制御装置とを備え、前記制御装置が、前記ロボットアームの少なくとも２つの前記関節を連動させ、Ｍより少ないＮ（Ｎは６以下の自然数）の自由度で前記ロボットアームを制御する。
【手続補正６】
【補正対象書類名】明細書
【補正対象項目名】００１０
【補正方法】変更
【補正の内容】
【００１０】
本発明は、以上に説明した構成を有し、高い応答性を有し、かつ、移動空間に存在する様々な障害物を回避可能なロボットアームを備えたマニピュレータシステムを提供することができる。
【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
撮像可能な撮像部からの撮像画像に関する情報を受け付ける受付部と、
マーカー被形成物にマーカーを形成するマーカー形成部と作業対象物に対して作業を行う作業部とを交換して設けることが可能なロボットアームを有するロボットの駆動を制御する制御部と、を備え、
前記制御部は、前記ロボットに関する座標系であるロボット座標系と、前記撮像画像に関する座標系である画像座標系と、の対応付けを実行し、
前記対応付けは、前記作業部が前記ロボットアームに設けられていないときに、前記マーカー形成部によって前記マーカー被形成物に複数の前記マーカーを形成させたときの前記ロボットアームの所定部位の前記ロボット座標系における複数の座標と、複数の前記マーカーの前記画像座標系における複数の座標とに基づいて行われることを特徴とする制御装置。
【請求項２】
前記制御部は、前記マーカー形成部を前記マーカー被形成物に接触させることで前記マーカーを形成する請求項１に記載の制御装置。
【請求項３】
前記制御部は、前記マーカーを付するスタンプで構成された前記マーカー形成部を前記マーカー被形成物に接触させることで前記マーカーを形成するよう前記ロボットの駆動を制御する請求項１に記載の制御装置。
【請求項４】
前記受付部は、前記ロボットアームに設けられた力検出装置からの出力を受け付けることが可能であり、
前記制御部は、前記力検出装置からの出力に基づいて前記マーカー被形成物と前記マーカー形成部との接触を検出する請求項１ないし３のいずれか１項に記載の制御装置。
【請求項５】
前記制御部は、複数の前記マーカーを形成したときの前記ロボット座標系における複数の座標と、複数の前記マーカーの前記画像座標系における複数の座標とに基づいて、前記ロボット座標系と前記画像座標系との相対関係を求めた後、前記相対関係を基にして前記対応付けを行う請求項１ないし４のいずれか１項に記載の制御装置。
【請求項６】
前記制御部は、前記相対関係を求める際に用いる前記ロボット座標系における座標の数よりも多くの数の前記ロボット座標系における座標と、前記相対関係を求める際に用いる前記画像座標系における座標の数よりも多くの数の前記画像座標系における座標と、を用いて前記対応付けを行う請求項５に記載の制御装置。
【請求項７】
前記制御部は、前記ロボットアームの先端部に設けられている前記マーカー形成部により前記マーカーを形成するよう前記ロボットの駆動を制御する請求項１ないし６のいずれか１項に記載の制御装置。
【請求項８】
マーカー被形成物にマーカーを形成するマーカー形成部と、
作業対象物に対して作業を行う作業部と、
前記マーカーと前記作業部とを交換して設けることが可能なロボットアームを有するロボットと、
撮像可能な撮像部からの撮像画像に関する情報を受け付ける受付部と、前記ロボットの駆動を制御する制御部と、を有する制御装置と、
を備えるロボットシステムであって、
前記制御部は、前記ロボットに関する座標系であるロボット座標系と、前記撮像画像に関する座標系である画像座標系と、の対応付けを実行し、
前記対応付けは、前記作業部が前記ロボットアームに設けられていないときに、前記マーカー形成部によって前記マーカー被形成物に複数の前記マーカーを形成させたときの前記ロボットアームの所定部位の前記ロボット座標系における複数の座標と、複数の前記マーカーの前記画像座標系における複数の座標とに基づいて行われるロボットシステム。
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
波長が異なる光を発光する複数の光源を有する撮像デバイスを制御する、撮像制御部を備え、
前記撮像制御部は、複数の前記光源のうちの波長が最も短い前記光源が発する光の強度が、設定されている基準の色温度を実現するときの光の強度よりも大きくなるように、複数の前記光源の発光を制御する、医療用観察装置。
【請求項２】
複数の前記光源は、赤色の光を発光する光源と、緑色の光を発光する光源と、青色の光を発光する光源とを有し、
前記撮像制御部は、波長が最も短い前記光源である前記青色の光を発光する光源が発する光の強度が、設定されている基準の色温度を実現するときの光の強度よりも大きくなるように、前記青色の光を発光する光源の発光を制御する、請求項１に記載の医療用観察装置。
【請求項３】
前記撮像制御部は、複数の前記光源のうちの、波長が最も短い前記光源以外の前記光源が発する光の強度が、設定されている基準の色温度を実現するときの光の強度と変わらないように、複数の前記光源の発光を制御する、請求項１または２に記載の医療用観察装置。
【請求項４】
前記撮像デバイスにより撮像された医療用撮像画像の表示を制御する表示制御部を、さらに備え、
前記表示制御部は、複数の前記光源の発光の制御に応じて、前記医療用撮像画像を表示画面に表示する表示装置における色温度を制御する、請求項１〜３のいずれか１つに記載の医療用観察装置。
【請求項５】
前記表示制御部は、複数の前記光源の発光の制御の状態を示す状態情報を、前記表示装置に対して送信させることにより、前記色温度を制御する、請求項４に記載の医療用観察装置。
【請求項６】
患者の体内に挿入され、前記体内を撮像する前記撮像デバイスを備える、請求項１〜５のいずれか１つに記載の医療用観察装置。
【請求項７】
複数のリンクが関節部によって互いに連結されて構成されるアームと、
前記アームにより支持されている前記撮像デバイスと、
を備える、請求項１〜５のいずれか１つに記載の医療用観察装置。
【請求項８】
波長が異なる光を発光する複数の光源を有する撮像デバイスを制御する、撮像制御部を備える医療用観察装置と、
前記撮像デバイスにより撮像された医療用撮像画像を表示画面に表示する表示装置と、
を有し、
前記医療用観察装置の撮像制御部は、複数の前記光源のうちの波長が最も短い前記光源が発する光の強度が、設定されている基準の色温度を実現するときの光の強度よりも大きくなるように、複数の前記光源の発光を制御する、医療用観察システム。
【手続補正２】
【補正対象書類名】明細書
【補正対象項目名】０１７３
【補正方法】変更
【補正の内容】
【０１７３】
制御ユニット１１２は、例えば、信号入力インタフェース１６０と、ＡＧＣ回路１６２と、ホワイトバランス回路１６４と、プロセッサ１６６とを有する。図７では、信号入力インタフェース１６０を「信号入力Ｉ／Ｆ」と示し、ＡＧＣ回路１６２を「ＡＧＣ（Automatic  Gain  Control）」と示し、ホワイトバランス回路１６４を「Ｗ／Ｂ」と示している。
【手続補正３】
【補正対象書類名】明細書
【補正対象項目名】０１７５
【補正方法】変更
【補正の内容】
【０１７５】
信号入力インタフェース１６０に入力された画像信号は、ＡＧＣ回路１６２でゲインが制御され、ホワイトバランス回路１６４でホワイトバランスが調整される。
【手続補正４】
【補正対象書類名】明細書
【補正対象項目名】０１７７
【補正方法】変更
【補正の内容】
【０１７７】
ＡＧＣ回路１６２およびホワイトバランス回路１６４で処理された画像信号は、プロセッサ１６６で処理される。
【手続補正５】
【補正対象書類名】明細書
【補正対象項目名】０１８０
【補正方法】変更
【補正の内容】
【０１８０】
輝度信号処理部１７０は、ＡＧＣ回路１６２から伝達される画像信号に基づく輝度信号に対して、例えば画質の向上に寄与する任意の信号処理を行う。輝度信号処理部１７０は、例えば、輝度信号を高周波数成分ＹＨと低周波数成分ＹＬとに分離し、高周波数成分ＹＨに対して、画質に関わる解像度を改善するための高解像度処理を行う。
【手続補正６】
【補正対象書類名】明細書
【補正対象項目名】０１８７
【補正方法】変更
【補正の内容】
【０１８７】
イメージセンサが３板センサ方式のイメージセンサである場合、高周波数成分ＹＨは、それぞれのセンサに貼られた色フィルタ（赤色の光を透過させる色フィルタ、緑色の光を透過させる色フィルタ、および青色の光を透過させる色フィルタ）の空間的な配置（配分）に依存する。図８のＡに示す例では、“赤色の光に対応する色信号”、“緑色の光に対応する色信号”、および“青色の光に対応する色信号”が同様に扱われる。よって、イメージセンサが３板センサ方式のイメージセンサである場合、図８のＢに示すように、高周波数成分ＹＨは、例えば下記の数式３で表すことができる。
【手続補正７】
【補正対象書類名】明細書
【補正対象項目名】０１９１
【補正方法】変更
【補正の内容】
【０１９１】
色差信号処理部１７２は、ＡＧＣ回路１６２から伝達される画像信号に基づく色差信号に対して、例えば画質の向上に寄与する任意の信号処理を行う。色差信号は、色信号から輝度信号を減算することにより得られる。
【手続補正８】
【補正対象書類名】明細書
【補正対象項目名】０１９３
【補正方法】変更
【補正の内容】
【０１９３】
ＡＥ検波部１７６は、信号入力インタフェース１６０に入力された画像信号に基づいて、露出の検波値を取得する。露出の検波値は、例えば上記画像信号から取得される輝度値に基づいて算出される。ＡＥ検波部１７６における露出の検波範囲は、予め設定される固定の範囲であってもよいし、医療用観察装置１００の利用者の操作などに基づく可変の範囲であってもよい。ＡＥ検波部１７６は、取得された露出の検波値を、照明光制御部１７８と、出力ゲイン調整部１８０とにそれぞれ伝達する。
【手続補正書】
【提出日】令和2年1月10日(2020.1.10)
【手続補正１】
【補正対象書類名】明細書
【補正対象項目名】００２６
【補正方法】変更
【補正の内容】
【００２６】
まず、入力装置２０５を介してユーザーによる撮像シーケンスや撮像条件の設定を受け付ける（Ｓ３０１）。撮像シーケンスは、特に限定されないが、本実施形態では、撮像時間の短縮のために、空間的に重なり合った信号を計測する撮像手法（ＰＩ法）が選択され、設定される。撮像条件は、撮像シーケンスのパラメータ（繰り返し時間ＴＲ、エコー時間ＴＥ）を含み、ｋ空間の間引き計測を行う場合には間引き率を含む。また複数スライス同時励起（ＳＭＳ：Ｓｉｍｕｌｔａｎｅｏｕｓ  Ｍｕｌｔｉ-Ｓｌｉｃｅ）の場合にはスライス数の設定を含む。なお検査プロトコルとしてこれら撮像条件等が設定されている場合には、検査プロトコルに設定された条件等を読み込む。
【手続補正２】
【補正対象書類名】明細書
【補正対象項目名】００７６
【補正方法】変更
【補正の内容】
【００７６】
１０：ＭＲＩ装置、１００：計測部、１０１：被検体、１０２：静磁場コイル、１０３：傾斜磁場コイル、１０４：シムコイル、１０５：送信コイル、１０６：受信コイル、１０７：送信機、１０８：受信機、１１２：傾斜磁場用電源部、１１３：シム用電源部、１１４：シーケンス制御装置、２００：計算機、２０１：ディスプレイ、２０３：外部記憶装置、２０５：入力装置、２１０：計測制御部、２３０：画像生成部、２４０：複素画像生成部、２５０：分離画像算出部、２７０：ノイズ除去部、２７１：ノイズ除去前後画像制約部、２７２：ノイズ相関制約部、２７３：スパース空間制約部、２７５：繰り返し演算部、２９０：表示制御部
【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
立体遊技体を支持し、回転軸を中心に回転可能であり、前記回転軸の一端側から他端側に向かってらせん状に延在する支持部と、
前記支持部のうち、前記回転軸の一端側の第１部分と前記回転軸の他端側の第２部分との間に位置する第３部分を、少なくとも囲む囲み部材と、
前記支持部と前記囲み部材で挟まれた空間において、前記回転軸の一端側から他端側に向かって延在し、前記立体遊技体を、前記支持部および前記囲み部材と共に支持して、前記支持部の回転に伴う前記回転軸の一端側から他端側への前記立体遊技体の移動をガイドする一以上のガイド部と、
を含む搬送装置。
【請求項２】
立体遊技体を支持し、回転軸を中心に回転可能であり、前記回転軸の一端側から他端側に向かってらせん状に延在する支持部と、
前記支持部のうち、前記回転軸の一端側の第１部分と前記回転軸の他端側の第２部分との間に位置する第３部分を、少なくとも囲む囲み部材と、
前記支持部と前記囲み部材で挟まれた空間において、前記回転軸の一端側から他端側に向かって延在し、前記立体遊技体を、前記支持部および前記囲み部材と協働して支持して、前記支持部の回転に伴う前記回転軸の一端側から他端側への前記立体遊技体の移動をガイドする一以上のガイド部と、
を含み、
前記囲み部材は、前記第１部分を囲っておらず、
前記支持部は、前記第１部分で前記立体遊技体を取り込む搬送装置。
【請求項３】
前記ガイド部は、前記回転軸の一端側の部分において前記囲み部材によって囲まれず、前記立体遊技体の取り込みをガイドする、
請求項２に記載の搬送装置。
【請求項４】
前記第１部分の周囲に存在する立体遊技体を、前記第１部分へ供給する供給部を含む
請求項２または３に記載の搬送装置。
【請求項５】
前記立体遊技体は、姿勢によらず転動可能であり、
前記供給部は、前記第１部分の周囲に存在する立体遊技体を、前記第１部分へ転動させる傾斜を有する傾斜面を含む
請求項４に記載の搬送装置。
【請求項６】
前記囲み部材は、前記第２部分を囲っておらず、
前記支持部は、前記第２部分で前記立体遊技体を排出する
請求項１から５のいずれか１項に記載の搬送装置。
【請求項７】
前記第２部分の一部には、前記立体遊技体を突き出す突出部が設けられている
請求項６に記載の搬送装置。
【請求項８】
前記供給部は、前記立体遊技体を利用する複数のゲームユニット部の各々から収集した立体遊技体を、前記第１部分へ供給する
請求項４または５に記載の搬送装置。
【手続補正２】
【補正対象書類名】明細書
【補正対象項目名】０００６
【補正方法】変更
【補正の内容】
【０００６】
本発明の一態様に係るゲーム装置は、立体遊技体を支持し、回転軸を中心に回転可能であり、前記回転軸の一端側から他端側に向かってらせん状に延在する支持部と、前記支持部のうち、前記回転軸の一端側の第１部分と前記回転軸の他端側の第２部分との間に位置する第３部分を、少なくとも囲む囲み部材と、前記支持部と前記囲み部材で挟まれた空間において、前記回転軸の一端側から他端側に向かって延在し、前記立体遊技体を、前記支持部および前記囲み部材と共に支持して、前記支持部の回転に伴う前記回転軸の一端側から他端側への前記立体遊技体の移動をガイドする一以上のガイド部と、を含む。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
遊技の進行に関する制御を行う制御基板を有する遊技機であって、
前記制御基板は、２以上の設定値の中からいずれかの設定値を設定する設定部を備え、
さらに、前記遊技機は、前記遊技の進行に影響を与えない遊技上の指示機能を備えており、
前記制御基板は、遊技者が前記指示機能による指示ナビゲーションに従って前記遊技機を操作させた場合に、前記設定値に応じた示唆演出を行う
ことを特徴とする遊技機。
【請求項２】
遊技の進行に関する制御を行う制御基板を有する遊技機であって、
前記制御基板は、２以上の設定値の中からいずれかの設定値を設定する設定部を備え、
さらに、前記遊技機は、遊技上の指示機能に関わる当せん役を備えており、前記指示機能に関わる当せん役には、
（１）ナビゲーションに従って操作させることで役を成立させる第１の役と、
（２）ナビゲーションに従って操作させてもさせなくても役を成立させる第２の役と
があり、
前記制御基板は、前記第２の役に当せんして遊技者が前記ナビゲーションに従って操作させたことにより、前記設定値に応じた示唆演出を行う
ことを特徴とする遊技機。
【請求項３】
遊技の進行に関する制御を行う制御基板を有する遊技機であって、
前記制御基板は、２以上の設定値の中からいずれかの設定値を設定する設定部を備え、
さらに、前記遊技機は、遊技上の演出を伴う指示機能を備えており、前記演出を伴う指示機能には、
（１）ナビゲーションに従って操作させることで特定の演出を実行させる第１の指示機能と、
（２）ナビゲーションに従って操作させてもさせなくても特定の演出を実行させる第２の指示機能と
があり、
前記制御基板は、前記ナビゲーションに従って前記第２の指示機能に基づき操作させたことにより、前記設定値に応じた示唆演出を行う
ことを特徴とする遊技機。
【手続補正２】
【補正対象書類名】明細書
【補正対象項目名】００１６
【補正方法】変更
【補正の内容】
【００１６】
そこで、本発明の一実施形態にかかる遊技機は、遊技の進行に関する制御を行う制御基板を有する遊技機であって、前記制御基板は、２以上の設定値の中からいずれかの設定値を設定する設定部を備え、さらに、前記遊技機は、前記遊技の進行に影響を与えない遊技上の指示機能を備えており、前記制御基板は、遊技者が前記指示機能による指示ナビゲーションに従って前記遊技機を操作させた場合に、前記設定値に応じた示唆演出を行うことを特徴とする。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
遊技の進行に関する制御を行うメイン制御基板と、所定の演出に関する制御を行うサブ制御基板とを有する遊技機であって、
前記メイン制御基板は、２以上の設定値の中からいずれかの設定値を設定する設定部を備え、
前記サブ制御基板は、前記設定値ごとの示唆演出を行うための設定示唆演出テーブルを少なくとも２種類記憶する記憶部を備え、
前記メイン制御基板は、所定時間以上の電源遮断を経て電源投入された場合、または、前記設定値が変更された場合に前記サブ制御基板へ所定の信号を送信し、前記サブ制御基板は、前記所定の信号を受信することによって前記設定示唆演出テーブルを切り替えるよう制御するものであって、
前記切り替え後の設定示唆演出テーブルに設定されている前記設定値ごとの示唆演出を行う確率は、前記切り替え前の設定示唆演出テーブルに設定されている前記設定値ごとの示唆演出を行う確率よりも高く設定されている
ことを特徴とする遊技機。
【請求項２】
遊技の進行に関する制御を行うメイン制御基板と、所定の演出に関する制御を行うサブ制御基板とを有する遊技機であって、
前記メイン制御基板は、２以上の設定値の中からいずれかの設定値を設定する設定部を備え、
前記サブ制御基板は、前記設定値ごとの示唆演出を行うための設定示唆演出テーブルを少なくとも２種類記憶する記憶部を備え、
前記メイン制御基板は、所定時間以上の電源遮断を経て電源投入された場合、または、前記設定値が変更された場合に前記サブ制御基板へ所定の信号を送信し、前記サブ制御基板は、前記所定の信号を受信することによって前記設定示唆演出テーブルを切り替えるよう制御するものであって、
前記切り替え後の設定示唆演出テーブルに設定されている前記設定値ごとの示唆演出を行う確率は、前記切り替え前の設定示唆演出テーブルに設定されている前記設定値ごとの示唆演出を行う確率よりも高精度に設定されている
ことを特徴とする遊技機。
【請求項３】
前記サブ制御基板により、前記所定の信号の受信を契機として前記設定示唆演出テーブルを切り替えるよう制御された後、所定の時間を経過すると前記切り替え前の設定示唆演出テーブルに再び切り替えることを特徴とする請求項１または２に記載の遊技機。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
第１の樹脂層、層間接着層又は層間シーラント層、及び第２の樹脂層がこの順に積層されている針刺検知用シートであって、
注射針を刺して針刺孔を形成したときに、
前記第１の樹脂層と前記第２の樹脂層との間の、前記針刺孔の周囲が剥離する、
針刺検知用シート。
【請求項２】
直径０．８０ｍｍ、刃型Ｒ・Ｂの注射針を刺して針刺孔を形成したときに、
前記第１の樹脂層と前記第２の樹脂層との間の、前記針刺孔の周囲が０．２ｍｍ以上の幅で剥離する、
請求項１に記載の針刺検知用シート。
【請求項３】
前記第２の樹脂層は、ＪＩＳ  Ｚ  ０２３７に準拠して、試験速度３００ｍｍ／分にて測定した伸び率が１００％以上であり、かつ、
前記第１の樹脂層と前記第２の樹脂層との間の粘着強さは、ＪＩＳ  Ｚ  ０２３７に準拠して、引きはがし角度１８０°にて測定したときに、１．０Ｎ／１０ｍｍ以上１０．０Ｎ／１０ｍｍ以下である、
請求項１又は２に記載の針刺検知用シート。
【請求項４】
針刺孔を形成したときに、
前記第１の樹脂層のうちの前記針刺孔の周囲が白化する、
請求項１〜３のいずれか一項に記載の針刺検知用シート。
【請求項５】
直径０．８０ｍｍ、刃型Ｒ・Ｂの注射針を刺して針刺孔を形成したときに、
前記第１の樹脂層のうちの前記針刺孔の周囲が０．２ｍｍ以上の幅で白化する、
請求項４に記載の針刺検知用シート。
【請求項６】
前記第１の樹脂層は、ハードセグメントを含む連続相と、ソフトセグメントを含む分散相とから構成される海島型ミクロ相分離構造を有する樹脂の層である、
請求項１〜５のいずれか一項に記載の針刺検知用シート。
【請求項７】
前記第１の樹脂層は、耐衝撃性ポリスチレン、ブロックコポリマータイプのポリプロピレン、及びアクリロニトリル−ブタジエン−スチレン共重合体より成る群から選択される１種以上の樹脂の層である、
請求項１〜６のいずれか一項に記載の針刺検知用シート。
【請求項８】
前記第１の樹脂層は、ブロックコポリマータイプのポリプロピレンの層である、請求項１〜７のいずれか一項に記載の針刺検知用シート。
【請求項９】
前記層間接着層は、ゴム系粘着剤、アクリル系粘着剤、シリコーン系粘着剤、及びウレタン系粘着剤から選択される１種以上の粘着剤の層である、請求項１〜８のいずれか一項に記載の針刺検知用シート。
【請求項１０】
前記第２の樹脂層は、熱可塑性樹脂、天然ゴム、及び合成ゴムから選択される重合体の層である、請求項１〜９のいずれか一項に記載の針刺検知用シート。
【請求項１１】
前記第２の樹脂層がＬ値７５以下の色で着色されている、請求項１〜１０のいずれか一項に記載の針刺検知用シート。
【請求項１２】
前記第２の樹脂層に積層されている外部シーラント層又は外部接着層を更に有する、請求項１〜１１のいずれか一項に記載の針刺検知用シート。
【請求項１３】
着色樹脂層を更に有し、前記第１の樹脂層、前記層間接着層又は層間シーラント層、前記着色樹脂層、及び前記第２の樹脂層の順に積層されている、請求項１〜１１のいずれか一項に記載の針刺検知用シート。
【請求項１４】
着色樹脂層を更に有し、前記第１の樹脂層、前記層間接着層又は層間シーラント層、前記着色樹脂層、前記第２の樹脂層、及び前記外部シーラント層又は外部接着層の順に積層されている、請求項１２に記載の針刺検知用シート。
【請求項１５】
前記着色樹脂層のＬ値が７５以下である、請求項１３又は１４に記載の針刺検知用シート。
【請求項１６】
蓋材である、請求項１〜１５のいずれか一項に記載の針刺検知用シート。
【請求項１７】
開口部を有する容器と、前記容器中に収納された液体状医薬品と、前記容器の前記開口部を密封する栓と、前記栓を覆う蓋材とを有する液体状医薬品入り蓋付き容器であって、
前記蓋材が請求項１６に記載の針刺検知用シートである、液体状医薬品入り蓋付き容器。
【手続補正書】
【提出日】令和2年7月2日(2020.7.2)
【手続補正１】
【補正対象書類名】明細書
【補正対象項目名】発明の名称
【補正方法】変更
【補正の内容】
【発明の名称】液体状医薬品入り蓋付き容器
【手続補正２】
【補正対象書類名】特許請求の範囲
【補正対象項目名】全文
【補正方法】変更
【補正の内容】
【特許請求の範囲】
【請求項１】
開口部を有する容器と、前記容器中に収納された液体状医薬品と、前記容器の前記開口部を密封する栓と、前記栓を覆う蓋材とを有する液体状医薬品入り蓋付き容器であって、
前記蓋材は、白化樹脂層を有する針刺検知用シートから成り、
前記白化樹脂層は、注射針を刺して針刺孔を形成したときに、前記針刺孔の周囲が白化する樹脂層である、液体状医薬品入り蓋付き容器。
【請求項２】
前記白化樹脂層は、直径０．８０ｍｍ、刃型Ｒ・Ｂの注射針を刺して針刺孔を形成したときに、前記針刺孔の周囲が０．２ｍｍ以上の幅で白化する樹脂層である、請求項１に記載の液体状医薬品入り蓋付き容器。
【請求項３】
前記白化樹脂層は、ハードセグメントを含む連続相と、ソフトセグメントを含む分散相とから構成される海島型ミクロ相分離構造を有する樹脂の層である、請求項１又は２に記載液体状医薬品入り蓋付き容器。
【請求項４】
前記ハードセグメントは、ポリスチレン、結晶性ポリオレフィン、及びアクリロニトリル−スチレン共重合体より成る群から選択される１種以上を含み、かつ
前記ソフトセグメントは、ブタジエンゴム、スチレン−ブタジエンゴム、及び非晶性ポリオレフィンより成る群から選択される１種以上を含む、請求項３に記載の液体状医薬品入り蓋付き容器。
【請求項５】
前記白化樹脂層は、耐衝撃性ポリスチレン、ブロックコポリマータイプのポリプロピレン、及びアクリロニトリル−ブタジエン−スチレン共重合体より成る群から選択される１種以上の樹脂の層である、請求項１〜４のいずれか一項に記載の液体状医薬品入り蓋付き容器。
【請求項６】
前記白化樹脂層は、ブロックコポリマータイプのポリプロピレンの層である、請求項１〜４のいずれか一項に記載の液体状医薬品入り蓋付き容器。
【請求項７】
前記白化樹脂層が着色されている、請求項１〜６のいずれか一項に記載の液体状医薬品入り蓋付き容器。
【請求項８】
前記白化樹脂層のＬ値が７５以下である、請求項７に記載の液体状医薬品入り蓋付き容器。
【請求項９】
前記白化樹脂層に積層されているシーラント層又は接着層を更に有する、請求項１〜８のいずれか一項に記載の液体状医薬品入り蓋付き容器。
【請求項１０】
前記シーラント層又は接着層が着色されている、請求項９に記載の液体状医薬品入り蓋付き容器。
【請求項１１】
前記シーラント層又は接着層のＬ値が７５以下である、請求項１０に記載の液体状医薬品入り蓋付き容器。
【請求項１２】
前記白化樹脂層に積層されている着色樹脂層を更に有する、請求項１〜８のいずれか一項に記載の液体状医薬品入り蓋付き容器。
【請求項１３】
着色樹脂層を更に有し、前記白化樹脂層、前記着色樹脂層、及び前記シーラント層又は接着層の順に積層されている、請求項９〜１１のいずれか一項に記載の液体状医薬品入り蓋付き容器。
【請求項１４】
前記着色樹脂層のＬ値が７５以下である、請求項１２又は１３に記載の液体状医薬品入り蓋付き容器。
【請求項１５】
請求項１〜１４のいずれか一項に記載の液体状医薬品入り蓋付き容器に用いられる、液体状医薬品入り蓋付き容器用針刺検知用シートであって、
前記液体状医薬品入り蓋付き容器用針刺検知用シートは、
白化樹脂層を有し、
前記白化樹脂層は、注射針を刺して針刺孔を形成したときに、前記針刺孔の周囲が白化する樹脂層である、
液体状医薬品入り蓋付き容器用針刺検知用シート。
【請求項１６】
前記白化樹脂層は、直径０．８０ｍｍ、刃型Ｒ・Ｂの注射針を刺して針刺孔を形成したときに、前記針刺孔の周囲が０．２ｍｍ以上の幅で白化する樹脂層である、請求項１５に記載の液体状医薬品入り蓋付き容器用針刺検知用シート。
【請求項１７】
前記液体状医薬品入り蓋付き容器の蓋材である、請求項１５又は１６に記載の液体状医薬品入り蓋付き容器用針刺検知用シート。